(57)【要約】  本発明は、製品の第２の供給量または吐出量を収容するために用いられ、且つクロージャが作動されると、第２製品または吐出量を、クロージャが取り付けられた受容容器へと吐出する、吐出クロージャに関するものである。製品の吐出量を吐出または供給するための方法も提供される。【選択図】図１
2013519596.tif 000002
【特許請求の範囲】
【請求項１】
ａ．ハウジングを有する反転加圧部分吐出クロージャであって、
ｂ．前記ハウジングは、隔壁、加圧部分、および端部プレートシールを備える前記ハウジングと、
ｃ．前記反転加圧部分吐出クロージャに取り付けられた受容容器と、
ｄ．前記反転加圧部分吐出クロージャから前記受容容器へと吐出するための使用者作動手段と、
を備える使用時点クロージャ装置。
【請求項２】
前記ハウジングは近位頂部、遠位基部、および側壁をさらに備える、請求項２に記載の装置。
【請求項３】
前記加圧部分は前記ハウジングの前記近位頂部を備える、請求項２に記載の装置。
【請求項４】
前記端部プレートシールは前記ハウジングの前記遠位基部を備える、請求項２に記載の装置。
【請求項５】
前記ハウジングは形状において管状である、請求項２に記載の装置。
【請求項６】
前記ハウジングは、１つまたは複数の含有物を貯蔵することができる投与量チャンバをさらに備える、請求項１に記載の装置。
【請求項７】
前記加圧部分は力が印加されると凹状構成へと湾曲することができる、請求項１に記載の装置。
【請求項８】
前記加圧部分は、前記投与量チャンバの上部径方向端部における複数のヒンジ部材、前記隔壁の上部径方向端部における１つまたは複数のヒンジ、またはこれらの組み合わせをさらに備える、請求項１に記載の装置。
【請求項９】
前記加圧部分は、１つまたは複数の径方向リブ、１つまたは複数の軸方向リブ、またはこれらの組み合わせをさらに備える、請求項１に記載の装置。
【請求項１０】
前記加圧部分は凸状ドームまたは円錐台形を備える、請求項１に記載の装置。
【請求項１１】
前記隔壁は、前記凸状ドームの頂端から前記ハウジングの前記基部に向かって懸垂する、請求項２に記載の装置。
【請求項１２】
前記隔壁は前記ハウジング内で軸方向整列を保持する、請求項１に記載の装置。
【請求項１３】
前記ハウジングは、前記隔壁の前記基部と係合する端部キャップをさらに備える、請求項１に記載の装置。
【請求項１４】
前記端部キャップは前記ハウジングの内径と締り嵌め係合する、請求項１３に記載の装置。
【請求項１５】
前記隔壁は、前記隔壁の前記遠位端に取り付けられた前記ハウジングの前記内径よりも小さい直径を有し且つ１つまたは複数の径方向ビーズを有する隔壁端部アタッチメントをさらに備える、請求項１に記載の装置。
【請求項１６】
前記端部プレートシールは薄片ライニングを備える、請求項１に記載の装置。
【請求項１７】
前記薄片ライニングはプラスチックライニングによりその表面全域にわたり支持される、請求項１６に記載の装置。
【請求項１８】
前記受容容器は、他の一組の１つまたは複数の含有物を含む、請求項６に記載の装置。
【請求項１９】
前記受容容器はプラグシールによりシールされた、請求項１７に記載の装置。
【請求項２０】
前記受容容器は瓶である、請求項１８に記載の装置。
【請求項２１】
１つまたは複数の含有物を吐出するための使用者作動手段は、前記加圧部分に対して力を印加し、それにより前記加圧部分を反転させ、前記加圧部分を凹状構成に保持することを含む、請求項１に記載の装置。
【請求項２２】
前記反転加圧部分吐出クロージャは、前記反転加圧部分吐出クロージャの前記ハウジングの外径に取り付けられたクロージャ径方向スカート部をさらに備え、前記クロージャ径方向スカート部は、前記ハウジングと軸方向に整列し、前記ハウジングよりも大きい外径と、近位水平部分と、遠位径方向端部とを有する、請求項１に記載の装置。
【請求項２３】
前記クロージャ径方向スカート部は、前記受容容器に取り付けるためのネジ山をその内径上にさらに備える、請求項２２に記載の装置。
【請求項２４】
前記クロージャ径方向スカート部は、指掛け凹陥部を前記外径上にさらに備える、請求項２２に記載の装置。
【請求項２５】
破断式アタッチメントにより前記クロージャ径方向スカート部の前記遠位径方向端部に取り付けられた不正開封明示スカート部をさらに備える、請求項２２に記載の装置。
【請求項２６】
前記反転加圧部分吐出クロージャは、不注意による使用者作動手段の吐出を防ぐために、前記凸状ドームをまたぐ折畳式トラスをさらに備える、請求項１に記載の装置。
【請求項２７】
前記折畳式トラスは、前記ハウジングの前記外径に接続された２つのヒンジ部材上で枢動することにより、邪魔にならないよう折り畳まれる、請求項２６に記載の装置。
【請求項２８】
前記折畳式トラスは、タブが折畳姿勢にあるとき、前記タブが前記ハウジングの前記外径と干渉するような内径を有する、請求項２６に記載の装置。
【請求項２９】
前記折畳式トラスは、前記トラスの下面を前記凸状ドームの前記遠位端に接続する破断式アタッチメントを有する、請求項２６に記載の装置。
【請求項３０】
前記破断式アタッチメントは前記凸状ドームの前記頂端において接続する、請求項２７に記載の装置。
【請求項３１】
前記反転加圧部分吐出クロージャは取外可能保護オーバーキャップをさらに備える、請求項１に記載の装置。
【請求項３２】
前記取外可能保護オーバーキャップはヒンジアタッチメントにより前記装置に取り付けられる、請求項３１に記載の装置。
【請求項３３】
前記反転加圧部分吐出クロージャは、前記ハウジングに取り付けられ且つ前記凸状ドームの前記近位端を越えて延長する直立径方向リムをさらに備える、請求項１に記載の装置。
【請求項３４】
前記直立径方向リムは、作動前に前記直立径方向リムを取り外すためにプルタブを備える、請求項３３に記載の装置。
【請求項３５】
ａ．ハウジングであって、近位頂部における加圧点と、遠位基部における端部プレートシールと、前記ハウジング内で軸方向に整列し凸状ドームの頂端から前記ハウジングの前記基部へと懸垂する隔壁と、前記隔壁の基部と係合する端部キャップと、１つまたは複数の含有物を貯蔵することができる投与量チャンバと備える、ハウジングと、
ｂ．前記ハウジングの外径に取り付けられ、前記ハウジングと軸方向に整列し、前記ハウジングの外径よりも大きい外径を有し、且つその内部の１つまたは複数の含有物を吐出するために受容容器に取り付けられ得る、クロージャ径方向スカート部と、
を備える、反転加圧部分貯蔵および吐出クロージャ装置。
【請求項３６】
ａ．ハウジングであって、近位頂部における加圧点と、遠位基部における端部プレートシールと、前記ハウジング内で軸方向に整列し前記加圧点の頂端から前記ハウジングの前記基部へと懸垂する隔壁と、前記ハウジングの内径よりも小さい直径を有し、前記隔壁の前記遠位端に取り付けられ、１つまたは複数の径方向ビーズを有する隔壁端部アタッチメントと、１つまたは複数の含有物を貯蔵することができる投与量チャンバとを備える、ハウジングと、
ｂ．前記ハウジングの外径に取り付けられ、前記ハウジングと軸方向に整列し、前記ハウジングの外径よりも大きい外径を有し、且つその内部の１つまたは複数の含有物を吐出するために受容容器に取り付けられ得る、クロージャ径方向スカート部と、
を備える、反転加圧部分貯蔵および吐出クロージャ装置。
【請求項３７】
ａ．投与量チャンバおよび１つまたは複数の含有物を吐出するための使用者作動手段を備えるハウジングと、
ｂ．前記ハウジングの外径に取り付けられ、前記ハウジングと軸方向に整列し、前記ハウジングよりも大きい外径を有し、且つその内部の１つまたは複数の含有物を吐出するために受容容器に取り付けられ得る、クロージャ径方向スカート部と、
を備える、貯蔵および吐出クロージャ装置。
【請求項３８】
吐出するための前記使用者作動手段は、加圧点、隔壁、端部キャップ、および端部プレートシールを備える、請求項３７に記載の貯蔵および吐出クロージャ装置。
【請求項３９】
吐出するための前記使用者作動手段は、加圧点、隔壁、隔壁端部アタッチメント、および端部プレートシールを備える、請求項３７に記載の貯蔵および吐出クロージャ装置。
【請求項４０】
ａ．隔壁、凸状ドーム、端部プレートシール、およびその内部に貯蔵された１つまたは複数の含有物を含むハウジングを有する反転ドーム吐出クロージャを提供するステップと、
ｂ．他の一組の１つまたは複数の含有物を有し且つ前記反転ドーム吐出クロージャから前記１つまたは複数の含有物を受容することができる受容容器を提供するステップと、
ｃ．前記反転ドーム吐出クロージャを前記受容容器に取り付けるステップと、
ｄ．使用者作動手段により前記反転ドーム吐出クロージャから前記１つまたは複数の含有物を前記受容容器へと吐出するステップと、
を含む、１つまたは複数の含有物の投与量を他の一組の１つまたは複数の含有物に供給する方法。
【請求項４１】
前記ハウジングは端部キャップまたは隔壁端部アタッチメントをさらに備える、請求項４０に記載の方法。
【請求項４２】
ａ．受容容器に取り付けられ、且つ加圧点、隔壁、および端部プレートシールを有するハウジングと、内部に貯蔵された１つまたは複数の含有物とを備える、反転加圧点吐出クロージャを提供するステップと、
ｂ．使用者作動手段により前記反転加圧点吐出クロージャから前記１つまたは複数の含有物を前記受容容器へと吐出するステップと、
を含む、１つまたは複数の含有物の投与量を他の一組の１つまたは複数の含有物に供給する方法。
【請求項４３】
前記ハウジングは端部キャップまたは隔壁端部アタッチメントをさらに備える、請求項４２に記載の方法。
【請求項４４】
前記反転加圧点吐出クロージャは、前記反転ドーム吐出クロージャを前記受容容器に取り付けるためにクロージャ径方向スカート部をさらに備える、請求項４２に記載の方法。
【請求項４５】
他の一組の１つまたは複数の含有物を有する前記受容容器は、前記反転ドーム吐出クロージャから前記１つまたは複数の含有物を受容することができる、請求項４２に記載の方法。
【請求項４６】
前記加圧点は凸状ドームおよび円錐台形から選択される、請求項４２に記載の方法。
【請求項４７】
ａ．受容容器に取り付けられ、且つ加圧点、隔壁、および端部キャップを有するハウジングと、内部に貯蔵された１つまたは複数の含有物とを備える、反転圧縮点吐出クロージャを提供するステップと、
ｂ．使用者作動手段により前記反転加圧点吐出クロージャから前記１つまたは複数の含有物を前記受容容器へと吐出するステップと、
を含む、１つまたは複数の含有物の投与量を他の一組の１つまたは複数の含有物に供給する方法。
【請求項４８】
前記ハウジングは端部キャップシールをさらに備える、請求項４２に記載の方法。
【請求項４９】
ａ．受容容器に取り付けられ、且つその内部に貯蔵された１つまたは複数の含有物を有する投与量チャンバを有するハウジングと、加圧点および隔壁を備える使用者作動吐出手段とを備える、反転圧縮点吐出クロージャを提供するステップと、
ｂ．前記反転加圧点吐出クロージャを前記受容容器に取り付けるステップと、
ｃ．使用者作動手段により前記反転ドーム吐出クロージャから前記１つまたは複数の含有物を前記受容容器へと吐出するステップと、
を含む、１つまたは複数の含有物の投与量を他の一組の１つまたは複数の含有物に供給する方法。
【請求項５０】
前記使用者作動吐出手段は端部キャップまたは隔壁端部アタッチメントをさらに備える、請求項４９に記載の方法。
【請求項５１】
前記ハウジングは端部プレートシールをさらに備える、請求項５０に記載の方法。
【発明の詳細な説明】
【技術分野】
【０００１】
本発明は、全般的には、包装および容器に関し、さらに詳細には、２つの区画を有し、且つ一方の成分を他方の成分へと使用時点における使用および吐出するときまで、２つの成分を分離するために用いられ得る容器に関する。
【背景技術】
【０００２】
第２の製品をその内部に投与または供給する装置を、飲料および他の同様の製品の上部に一致させることが望ましい。
【０００３】
回転開放（ｔｗｉｓｔ  ｔｏ  ｏｐｅｎ）技術においては、開口ポートが制限され、操作に要求される力が大きくなり、エンドユーザによる使用の学習曲線が急勾配となる。収容される含有物は、配合成分が適切に整合しない場合、しばしば損なわれる。この障害は、含有物に対するシール完全性を損なうものであり、製造業者または利用者には容易には知り得ない。これらの装置は、製品を収容するに必要な動作を達成し、回転して吐出するためにも、複数部分を含み得る。他の製品は、クロージャを開放するにあたり大きな力を必要とし、一般的には、密閉部分を破るためにクロージャのヘッド部を固い表面に打ち付け、それにより含有物へのアクセスを可能とすることにより開放される。長期にわたり製品の完全性を保持し、且つ異物混入および漏洩なく消費されるよう製品を所定投与量において貯蔵容器、器、または容器へと投与または供給するために、製品を第２の製品から分離的に貯蔵することが可能である貯蔵および吐出用のクロージャ装置であって、組み立て、充填、および操作が容易であるクロージャ装置に対する必要性が依然として存在する。
【発明の概要】
【課題を解決するための手段】
【０００４】
本発明の第１の態様は、１つまたは複数の含有物、調合物、または製品を貯蔵すること、および使用時点において吐出することが可能である吐出クロージャ装置を提供する。本発明に係る吐出クロージャ装置は、係るクロージャ装置から吐出される１つまたは複数の含有物、調合物、または製品を受容することができる貯蔵容器、容器、または器に取り付けられる。本発明に係る吐出クロージャ装置は凸状ドームまたは円錐台形等の加圧部分を備え、係る加圧部分は、加圧時には反転されて凹状構成が形成され、それにより、１つまたは複数の含有物、調合物、または製品の吐出が作動される。
【０００５】
本発明の１つの態様において、加圧部分、隔壁、および端部プレートシールを有するハウジングと、反転ドーム吐出クロージャに取り付けられた受容容器と、反転加圧部分吐出クロージャから１つまたは複数の含有物を吐出するための使用者作動手段とを備える反転加圧部分吐出クロージャが存在する。いくつかの実施形態において、反転加圧部分吐出クロージャのハウジングは、端部キャップまたは隔壁端部アタッチメントをさらに備える。いくつかの実施形態において、加圧部分は、凹状構成へと加圧されることができる円錐台形である。いくつかの実施形態において、吐出のための使用者作動手段は、加圧部分に対して加圧力を印加して、凸状部分を凹状構成へと変形させることを含む。
【０００６】
他の実施形態において、（ａ）近位上端部における加圧部分、遠位基部における端部プレートシール、および加圧部分の頂端からハウジングの基部へと懸垂するハウジング内で軸方向に整列する隔壁を備えるハウジングと、（ｂ）ハウジングの外径に取り付けられたクロージャ径方向スカート部を備え、ハウジングよりも大きい外径を有し、内部の１つまたは複数の含有物を吐出するために受容容器へと取り付けられ得る、吐出クロージャ装置を受容容器へと取り付けるための手段と、を含む吐出クロージャ装置が存在する。
【０００７】
他の実施形態において、（ａ）近位上端部における加圧部分、遠位基部における端部プレートシール、加圧部分の頂端からハウジングの基部へと懸垂するハウジング内で軸方向に整列する隔壁、および隔壁の基部と係合する端部キャップを備えるハウジングと、（ｂ）ハウジングの外径に取り付けられたクロージャ径方向スカート部を備え、ハウジングよりも大きい外径を有し、１つまたは複数の含有物を吐出するために受容容器へと取り付けられ得る、吐出クロージャ装置を受容容器へと取り付けるための手段と、を含む吐出クロージャ装置が存在する。
【０００８】
他の実施形態において、（ａ）ハウジングと、（ｂ）吐出クロージャ装置を受容容器へと取り付け、取り外し、再取り付けを行うための手段と、を備え、（ｃ）前述のハウジングは、近位上端部における加圧点、遠位基部における端部キャップ、および加圧部分の頂部からハウジングの基部へと懸垂するハウジング内で軸方向に整列する隔壁を備え、（ｄ）前述の取付手段は、ハウジングの外径に取り付けられたクロージャ径方向スタート部を備え、ハウジングよりも大きい外径を有し、内部の１つまたは複数の含有物を吐出するために受容容器へと取り付けられ得る取付手段と、を備える、吐出クロージャ装置が存在する。いくつかの実施形態において、ハウジングは、投与量チャンバに含まれる含有物をさらに含む。いくつかの実施形態において、ハウジングは、ハウジングの遠位基部において端部プレートシールをさらに備える。
【０００９】
他の実施形態において、（ａ）投与量チャンバおよび１つまたは複数の含有物を吐出するための使用者作動手段を備えるハウジングと（ｂ）ハウジングの外径に取り付けられたクロージャ径方向スカート部を備え、ハウジングと軸方向に整列し、ハウジングよりも大きい外径を有し、その内部の１つまたは複数の含有物を吐出するために受容容器に取り付けられ得る、装置を受容容器に取り付けるための取付手段を備える、反転加圧部分貯蔵および吐出クロージャ装置が存在する。いくつかの実施形態において、吐出のための使用者作動手段は、凸状ドーム、隔壁、および端部キャップを備える。いくつかの実施形態において、吐出のための使用者作動手段は、円錐台形、隔壁、および端部キャップを備える。他の実施形態において、吐出のための使用者作動手段は端部プレートシールをさらに備える。いくつかの実施形態において、吐出のための使用者作動手段は、凸状ドーム、隔壁、隔壁端部アタッチメント、および端部プレートシールを備える。いくつかの実施形態において、吐出のための使用者作動手段は、円錐台形、隔壁、隔壁端部アタッチメント、および端部プレートシールを備える。
【００１０】
本発明の他の態様は、吐出時まで含有物の完全性および鮮度を保持し、且つ含まれた含有物が紫外線光および湿気に対して曝露されることを最小化する、使用時点吐出装置を提供する。いくつかの実施形態において、吐出クロージャ装置は端部プレートシールを備える。１つの実施形態において、薄片端部プレートシールは薄片からなる。他の実施形態において、薄片端部プレートシールは、含有物の鮮度および製品の完全性の目的のため密閉を補強するためにプラスチックによりライニングされる。他の実施形態において、吐出クロージャ装置は紫外線光を遮る物質を用いて作られる。いくつかの実施形態において、緊密接触時に湿気に対する卓越した密閉完全性を提供し且つ製品完全性を保持する高度に研磨された係合表面を用いてハウジングの内側歩側壁と締まり密閉嵌合する端部キャップが存在する。
【００１１】
不注意による吐出または製品の改変が生じたかどうかをエンドユーザに示す使用時点吐出装置を提供することは、本発明の他の態様である。１つの実施形態において、時期尚早吐出および／または不正開封を示す不正開封明示（ＴＥ：ｔａｍｐｅｒ  ｅｖｉｄｅｎｔ）構成材が反転加圧部分吐出クロージャに対して存在する。１つの実施形態において、加圧後においてドームの反転凹状構成を維持し、それにより吐出手段の作動を示すために、径方向ヒンジが凸状ドームの内側表面上に存在する。他の実施形態において、破断式アタッチメントによりクロージャ径方向スカート部の遠位径方向端部に取り付けられた不正開封明示スカート部が存在する。吐出クロージャは、破断式アタッチメントが破断しないかぎり、受容容器から外れることはできない。不正開封明示スカート部から破断式アタッチメントが外れることは、装置に関する不正開封が生じたことを示す。他の実施形態において、破断式タブにより加圧部分の外径に取り付けられた折畳式タブまたはトラスが存在する。外れた破断式タブは装置に関する不正開封が生じたことを示す。
【００１２】
本発明の他の態様は、偶発的吐出を防ぐ使用時点吐出装置を提供することである。吐出クロージャのいくつかの実施形態において、不注意による、偶発的な、または時期尚早の吐出を防ぐ吐出防止構成材が存在する。１つの実施形態において、不注意による作動および吐出を防ぐために加圧部分の外側表面直径にまたがる折畳式タブまたはトラスが存在する。他の実施形態において、不注意による作動および吐出を防ぐためにハウジングの近位頂部に接続され且つ加圧部分の近位頂部を越えて加圧部分を包囲する直立径方向リムが存在する。他の実施形態において、加圧部分を覆う保護オーバーキャップが存在する。
【００１３】
本発明の他の態様は、投与量を供給するための方法を提供する。１つの実施形態において、（ａ）受容容器に取り付けられた反転加圧部分吐出クロージャであって、隔壁と、凸状ドームと、端部プレートシールと、その内部に貯蔵された１つまたは複数の含有物とを含む吐出クロージャを提供するステップと、（ｂ）１つまたは複数の含有物を反転ドーム吐出クロージャから受容容器へと使用者作動手段により吐出するステップとを含む、１つまたは複数の含有物の投与量を他の一組の１つまたは複数の含有物に供給する方法が存在する。いくつかの実施形態において、ハウジングは、端部キャップまたは隔壁端部アタッチメントをさらに備える。１つの実施形態において、使用者作動手段は、凸状ドームに加圧力を印加することを含む。
【００１４】
他の実施形態において、（ａ）受容容器に取り付けられ得る反転加圧点吐出クロージャであって、加圧点、隔壁、および端部プレートシールを有するハウジングと、その内部に貯蔵された１つまたは複数の含有物とを含む反転加圧点吐出クロージャを提供するステップと、（ｂ）反転加圧点吐出クロージャを受容容器へと取り付けるステップと、（ｃ）１つまたは複数の含有物を反転ドーム吐出クロージャから受容容器へと使用者作動手段により吐出するステップとを含む、１つまたは複数の含有物の投与量を他の一組の１つまたは複数の含有物に供給する方法が存在する。いくつかの実施形態において、ハウジングは、端部キャップまたは隔壁端部アタッチメントをさらに備える。１つの実施形態において、使用者作動手段は、加圧部分に対する加圧力の印加である。いくつかの実施形態において、反転加圧点吐出クロージャは、反転ドーム吐出クロージャを受容容器へと取り付けるためのクロージャ径方向スカート部をさらに備える。
【００１５】
本発明の他の実施形態において、（ａ）１つまたは複数の製品を保持し得、且つ隔壁と、凸状ドームと、端部プレートシールと、１つまたは複数の製品を吐出するための使用者作動手段とを備えるハウジングを有する反転ドーム吐出クロージャを提供するステップと、（ｂ）１つまたは複数の製品の他のセットを有し且つ反転ドーム吐出クロージャから１つまたは複数の製品を受け取り得る受容容器を提供するステップと、（ｃ）反転ドーム吐出クロージャを受容容器へと取り付けるステップと、（ｄ）１つまたは複数の製品を受容容器へと使用者作動手段により吐出するステップとを含む、１つまたは複数の製品の投与量を他の製品に供給する方法が存在する。いくつかの実施形態において、ハウジングは端部キャップをさらに備える。他の実施形態において、ハウジングは隔壁端部アタッチメントをさらに備える。１つの実施形態において、使用者作動手段は、凸面体に加圧力を印加して、それにより凸状ドームを凹状構成へと反転させることを含む。いくつかの実施形態において、吐出時まで１つまたは複数の製品をハウジング内に含み得る投与量チャンバが存在する。１つの実施形態において、反転ドーム吐出クロージャは、製造者により受容容器へと取り付けられる。他の実施形態において、反転ドーム吐出クロージャは、エンドユーザにより使用時点において受容容器へと取り付けられる。反転ドーム吐出クロージャはエンドユーザにより受容容器から取外可能であり、再取付可能である。
【００１６】
本発明の他の態様および特徴は、添付の図面と併せて以下の説明から明らかとなるであろう。以下では、図示および例示により、本発明の実施形態が開示される。
【００１７】
以下の図面は明細書の一部を成し、様々な形態で実施され得る本発明に対する模範的な実施形態を含むものである。いくつかの事例において本発明の様々な態様が本発明の理解を支援するために誇張または拡大されていることを理解すべきである。
【図面の簡単な説明】
【００１８】
【図１】保護オーバーキャップが被せられた状態にある、反転ドーム吐出クロージャの斜視図である。
【図２】保護オーバーキャップが被せられた状態にある、反転ドーム吐出クロージャの上面図である。
【図３】ドーム、隔壁、端部プレートシール位置、およびクロージャ径方向スカート部の螺刻部分を特定し、且つ閉鎖状態にある保護オーバーキャップおよび保護オーバーキャップに対するヒンジ取付エリアを図示する、組み立てられた反転ドーム吐出クロージャの断面図である。
【図４】引き裂き式プルタブを有する取外可能な直立径方向リムを有する、反転ドーム吐出クロージャの斜視図である。
【図５】引き裂き式プルタブを有する取外可能な直立径方向リムを示す反転ドーム吐出クロージャの上面図である。
【図６】投与量チャンバ、径方向クロージャスカート部の水平部分、クロージャ径方向スカート部の螺刻部分を特定し且つ隔壁端部アタッチメントおよび１つまたは複数の径方向ビーズを図示する、ドームを包囲する引き裂き式保護手段を有する反転ドーム吐出クロージャの断面図である。
【図７】折畳式トラスまたはタブ機能を有する不正開封明示投与クロージャの上面図である。
【図８】端部キャップ、薄片ライナー、およびプラグシールをさらに図示する、隔壁およびチューブにおいて径方向ヒンジを有する折畳式トラスまたはタブ機能を有する不正開封明示投与クロージャの断面組み立て図である。
【図９】折畳式トラスまたはタブに対する破断式アタッチメントおよびヒンジ部分の他に、指掛け凹陥部要素（ｆｉｎｇｅｒ  ｒｅｃｅｓｓ  ｅｌｅｍｅｎｔ）およびプルタブを有する不正開封明示スカート部を有するクロージャ径方向スカート部を示す、折畳式トラスまたはタブ機能を有する不正開封明示投与クロージャの正面図である。
【図１０】折畳式トラスまたはタブ機能を有する不正開封明示投与クロージャの斜視図である。
【図１１】直立径方向リムを有する不正開封明示投与クロージャの斜視図である。
【図１２】一体型保護オーバーキャップが開放状態にある可撓性ドームクロージャの上面図である。
【図１３】一体型保護オーバーキャップが開放状態にある可撓性ドームクロージャの側面図である。
【図１４】一体型保護オーバーキャップが開放状態にある可撓性ドームクロージャの断面図である。
【図１５】可撓性ドーム、隔壁、および端部キャップも示す、一体型保護オーバーキャップが開放状態にある可撓性ドームクロージャのヒンジエリアを通る断面図である。
【図１６】折畳式トラスが折畳位置にある状態における、反転された凸状位置における可撓性ドームの上面図である。
【図１７】含有物を吐出するために開放または作動位置にある反転ドーム吐出クロージャの断面図である。
【図１８】端部キャップが、ハウジングの遠位基部よりも低い下方位置にある状態における、作動位置にある反転ドーム吐出クロージャの側面図である。
【図１９】ドームが反転凹状構成にあり且つ端部キャップがハウジングの遠位基部よりも低い下方位置にある状態における、作動位置にある反転ドーム吐出クロージャの断面図である。
【図２０】端部キャップがハウジングの遠位基部よりも低い下方位置にある状態における、作動位置にある反転ドーム吐出装置の下面斜視図（ただしクロージャ径方向スカート部からねじ山は取り除かれている）である。
【図２１】反転円錐台形吐出クロージャの側面図である。
【図２２】反転円錐台形吐出クロージャの上面図である。
【００１９】
本発明に係る実施形態の詳細な説明が以下に提供される。しかし、本発明は様々な形態で具体化され得ることを理解すべきである。したがって、本明細書に開示される特定の詳細が限定的なものであると解釈するべきではなく、むしろ請求項に対する基礎として、および実質的に適切に詳細なシステム、構造、または方式において本発明を用いることを当業者に教示するための代表的基礎として、解釈されるべきである。
【００２０】
反転加圧部分吐出クロージャ
１つの態様において、本発明は、新規な反転加圧部分吐出クロージャ装置に関する。加圧部分は、加圧または作動時に反転する凸状ドームまたは円錐台形であり得る。反転加圧部分吐出クロージャは、別個の受容容器に吐出されるまで、含有物の鮮度および完全性を保持するために製品または１つまたは複数の含有物の投与量または供給量を収容、貯蔵、または保持するために用いられ得る。作動時、本発明に係る反転加圧部分吐出クロージャは、投与量を受容容器に供給し、瓶または容器から吐出クロージャを外すことなくエンドユーザが製品の投与量または供給量を吐出することを可能にし、それにより遺漏または異物混入が阻止され得る。受容容器の混合された内容物は、受容容器から吐出クロージャを外すことにより、消費のために吐出され得る。
【００２１】
いくつかの実施形態において、反転ドーム吐出クロージャはハウジングと、反転加圧部分吐出クロージャを受容容器に取り付けるための取付手段とを備える。他の実施形態において、反転ドーム吐出クロージャは、ハウジングと、反転加圧部分吐出クロージャを受容容器に取り付けるための取付手段と、受容容器とを備える。
【００２２】
ハウジング
反転ドーム吐出開示のハウジングは、近位頂部、遠位基部、側壁、および内部容積を有する。１つの実施形態において、ハウジングの側壁は、ハウジングに管状形状を与えるために、湾曲する。ハウジングは本明細書においてはチューブまたはハウジングチューブとも称される。ハウジングの管状形状は、任意の先細り管状形状または楕円円筒形状、放物線円筒形状、双曲線円筒形状、円形円筒形状、略円筒形状（断面が任意曲線となる）を含む円筒形状であり得る。他の実施形態において、ハウジングの側壁は、３つ以上の側壁を有する平面であり、それにより角形チューブ形状が形成される。ハウジングの角形チューブ形状は、三角形状チューブ、四角形状チューブ、長方形状チューブ、多角形状チューブを含む。ハウジングの近位頂部は、以下でより詳細に説明する加圧部分を備える。ハウジングの遠位基部は、以下でより詳細に説明する端部キャップおよび／または端部プレートシールを備える。いくつかの実施形態において、ハウジングの内部容積は、投与および供給方法のためにあらかじめ定められる。
【００２３】
図６に示すように、ハウジングは内部中空投与量チャンバをさらに備える。中空投与量チャンバは、１つまたは複数の含有物、調合物、または製品を収容するために用いられる。ハウジングの遠位基部は、クロージャ装置の作動時、吐出ポートを備える。作動時、１つまたは複数の含有物が投与量チャンバを出て吐出されることを可能にする離間開口部がハウジングの遠位端において提供される。
【００２４】
含有物
投与量チャンバに貯蔵される１つまたは複数の含有物、調合物、または製品の種類および形態は無限である。いくつかの実施形態においては、単一の含有物、調合物、または製品が存在し、他の実施形態においては含有物、調合物、および／または製品の組み合わせが存在する。含有物、調合物、または製品の非限定的な例示的形態は、粉末、乾燥成分、液体、液体濃縮物、および懸濁液を含む。吐出クロージャから貯蔵および吐出可能である含有物、調合物、または製品の非限定的な種類は、栄養補助食品（例えば、繊維質およびビタミン）、スポーツ栄養成分（例えば、アミノ酸、脂肪燃焼剤、筋肉増強剤）、食事療法栄養成分（例えば、食欲抑制剤、脂肪燃焼剤、満腹感を生じさせる成分）、アンチエージング効果を有する成分、免疫支持成分（例えば、プレビオティクス、プロビオティクス）、エネルギー増強剤、興奮剤、酸化防止剤を含む。
【００２５】
吐出クロージャ装置から貯蔵および吐出可能な含有物は、医薬品、薬物、および薬剤も含む。固い錠剤、カプセルの嚥下を回避し、従来の形態の薬品に関連する苦い味わいを回避し、且つ製品完全性を保持する、薬品を供給するための使用時点形態を定式化することが望まれる。
【００２６】
本発明に係る吐出クロージャ装置により貯蔵および吐出される１つまたは複数の含有物のうちのいずれもが、他の含有物、香味料、甘味料、賦形剤、防腐剤、および／または着色剤を含まず、またはこれらと組み合わせて、貯蔵され得る。
【００２７】
ハウジングは、１つまたは複数含有物を吐出するための使用者作動手段をさらに備える。他の実施形態において、吐出手段は、加圧部分、隔壁、および端部キャップを備える。他の実施形態において端部プレートシールをさらに備える。他の実施形態において、吐出手段は、加圧部分、隔壁、隔壁端部アタッチメント、および端部プレートシールを備える。いくつかの実施形態において、吐出手段は、凸状ドーム形状を有する加圧部分を備える。いくつかの実施形態において、加圧部分は円錐台形形状である。吐出手段は、使用時点においてエンドユーザにより作動されることを意図する。エンドユーザは凸状加圧部分に力を印加することにより吐出を作動させる。エンドユーザは、凸状ドームまたは円錐台形に加圧力を印加し、それにより凹状構成への反転が生じることとなる。１つの実施形態において、加圧部分が凹状構成へと反転することにより隔壁に力が印加され、それにより隔壁は遠位方向へと動かされ、端部プレートシール、端部キャップ、または隔壁端部アタッチメントを加圧する。１つの実施形態において、隔壁が端部プレートシールを加圧する力は、端部プレートシールを剪断、破断、または破損させる。他の実施形態において、隔壁が端部キャップを加圧する力により、端部キャップは、端部プレートシールを剪断、破断、または破損し、ハウジングの遠位端を越えて動く。他の実施形態において、隔壁が隔壁端部アタッチメントを加圧する力により、隔壁端部アタッチメントは、端部プレートシールを剪断、破断、または破損し、可撓性端部プレートシールを、隔壁端部アタッチメントのカップ状端部の内側に配置された径方向ビーズ内に保持する。すべての実施形態において、１つまたは複数の含有物が投与量チャンバから出て吐出されることを可能にする離間開口部がハウジングの遠位端において作られる。
【００２８】
クロージャ径方向スカート部
ハウジングはクロージャ径方向スカート部に取り付けられる。クロージャ径方向スカート部は、ハウジングから吐出された１つまたは複数の含有物を受容することが可能な受容容器に反転ドーム吐出クロージャを取り付ける機能を果たす。クロージャ径方向スカート部はハウジングよりも大きい直径を有する。クロージャ径方向スカート部は、近位上方水平部分、周縁側壁、および遠位管状端部を有する。図３および図６に示すように、１つの実施形態において、エンドユーザがよりよく把握できるよう、長手方向指掛け凹陥部要素がクロージャ径方向スカート部の外側側壁上に存在する。１つの実施形態において、クロージャ径方向スカート部は、受容容器開口部に回転可能に接続され得るネジ山を内側側壁上に有する。他の実施形態においては、クロージャ径方向スカート部はネジ山を有さない。いくつかの実施形態において、クロージャは、受容容器開口部の内径に嵌合する、懸垂径方向可撓性部材を備える。懸垂径方向部材は、受容容器の開口部の内径と締まり嵌合するよう設計され、それにより、懸垂径方向部材は、受容容器の内容物が漏洩しないよう密閉しつつも、依然として十分に低い印加を可能にし、図８に示すように、１つの実施形態において、受容容器の開口部を塞ぐことができるプラグシールと称される可撓性懸垂径方向部材が存在する。このシールは、受容容器の開口部の内側で突起し、それにより、受容容器の内容物は漏洩しないよう保持される。
【００２９】
加圧部分
加圧部分はハウジングの近位頂部に配置され、エンドユーザにより作動される構成材である。１つの実施形態において、加圧部分は、図３、図６、図８〜図１１および図１３〜図１５に示すように、凸状ドームである。１つの実施形態において、加圧部分は、図２１および図２２に示すように、円錐台形である。加圧部分は、十分な力が印加されると反転凹状構成へと容易に変形する材料で作られた薄く均一な壁部で作られる。加圧部分に力を印加すると、凹状構成は吐出を始める。いくつかの実施形態において、エンドユーザは、加圧部分に対して力を印加して、その結果、加圧部分が反転凹状構成へと押し下げられることにより、吐出を作動させる。
【００３０】
いくつかの実施形態において、凸状ドーム加圧部分は、ドームの円弧の全域にわたって離間する複数の径方向ヒンジ部材を有するよう構成される。いくつかの実施形態において、径方向ヒンジ要素は、図８に示すように、チューブの上方径方向端部において、隔壁の上方径方向端部において、およびそれらの組み合わせにおいて、配置される。径方向ヒンジは、凸状ドームが最大反転位置へと湾曲するよう、構成される。凸状ドームが白色材料以外の任意の材料で成型される場合、ドームの湾曲部分は、ドームが湾曲するエリアにおいて折り目を作る。白化は、加圧点を成型するために用いられる材料または樹脂の機能である。折り目は、その湾曲エリアにおける隅肉半径の設計によっても影響される。当業者は、材料に対してドームの外側部分および内側部分において弾性限界を越える応力が印加される際に、これらのエリアが剪断することなく屈曲または湾曲するために必要となる特定の幾何学形状を知るであろう。
【００３１】
いくつかの実施形態において、凸状ドームの下面は、支持する軸方向リブ、径方向リブ、またはこれらの組み合わせを有する。支持するドームリブは、エンドユーザに対して作動感を提供する。
【００３２】
他の実施形態において、略凸形状を有し且つ凹状構成へと加圧され得る円錐台形加圧部分は、径方向ヒンジ、軸方向リブ、径方向リブ、またはこれらの組み合わせを有するよう構成される。
【００３３】
隔壁
加圧部分の頂端において、図３、図８、および図１５に例示するように、ハウジングの遠位基部に向かって延長する懸垂隔壁が存在する。いくつかの実施形態において、隔壁は加圧部分の下面に一体成形される。いくつかの実施形態において、隔壁は加圧部分の下面と締まり嵌合する。隔壁は、反転加圧部分がその近位端上で加圧し、その近位端をハウジングの遠位基部に向かって動かすことにより、作動される。いくつかの実施形態において、隔壁の遠位端は、係合において端部キャップを受容するよう構成される。他の実施形態において、隔壁の遠位端は隔壁端部アタッチメントに取り付けられる。隔壁は、非作動状態においてハウジングと軸方向に整列し、吐出手段の作動および端部キャップの受容の際に軸方向整列状態を保持するよう、構成される。
【００３４】
隔壁は、実質的に剛性であり、変形姿勢へと屈曲または湾曲することを意図されない。隔壁の剛性は組み立てを支援し、それにより、隔壁と端部キャップとの間に締まり嵌めが存在するため、隔壁が容易に端部キャップを受容することができる。端部キャップは、隔壁と係合状態を保持し、隔壁から容易には外れないことが意図される。加圧部分が反転されると、隔壁は、端部キャップを、投与量チャンバの遠位基部およびハウジングを越えて下方方向に押す。隔壁の強度は、正反対の締まり嵌めが存在する製品チャンバから端部キャップを強制的に取り外すよう十分に構造的に堅固である必要がある。
【００３５】
端部キャップ
端部キャップは、図８および図１５に例示されように、ハウジングの遠位基部において配置され、隔壁の遠位端と係合する。いくつかの実施形態において、端部キャップは、凹陥部において隔壁の遠位端を受容し、それにより、ハウジングとの軸方向整列を保持するよう構成される。他の実施形態において、隔壁は、端部キャップの近位端を受容するよう構成される。端部キャップは、ハウジングの内側側壁に対して十分に締まり嵌めし、それにより、シーリング完全性のみが提供され、１つまたは複数の含有物がハウジングチューブの投与量チャンバ内に保持される。いくつかの実施形態において、端部キャップはプロピレンおよびエチレン材料からなる。いくつかの実施形態において、端部キャップおよびハウジングチューブの側壁は高度に研磨された係合表面から作られる。これらの高度に研磨された表面は、緊密に接触すると、水分に対する卓越したシール完全性を提供し、製品完全性を保持される。係る研磨方法は当業者に既知である。
【００３６】
端部キャップは、シーリング境界面と、除去に対する抵抗とを提供するために、隔壁の端部と端部キャップの底部分との間にライニングを有するよう構成され得る。外面に物質がコーティングされた小さい薄片ディスクが切断され、隔壁を受容するために形成された凹陥部の底面に配置される。ライニングは、薄片ライニング用途において広く用いられるＲＦ（無線周波数）シーリング処理を用いて、端部キャップおよび隔壁の両方の部分に溶接される。この処理は、ケチャップボトル上に見られる薄片ライニングに極めて類似するものであり、ライニングのみが両方の部分をシールするよう構成される。他の部分がこの種類のライニングで溶接されると、溶接の強度が極めて強くなり、端部キャップを隔壁から分離することは容易ではない。利点は、このことにより、端部キャップの外側部分を製品チャンバに溶接するスピン溶接が回避されることである。音波溶接および熱頭造溶接処理は、製品チャンバおよび端部キャップの近接エリアが加熱されないための十分な指向性を有さず、そのため、製品チャンバおよび端部キャップが付着してしまう。
【００３７】
端部プレートシール
いくつかの実施形態において、端部プレートシールは、ハウジングの遠位基部において保護シールを提供するために用いられる。端部プレートシールは、図３および図８に例示するように、ハウジングチューブの遠位基部の全域にわたって延長する端部プレートシールは、加圧部分が凹形状に反転されることにより、係合された隔壁が端部キャップに対して力を印加し、それにより、端部プレートシールに対して力が印加されると、破損するよう、薄く脆い性質を有する様々な材料から作られ得る。いくつかの実施形態において、薄片ライニングは、ハウジングチューブの内部をシールするために、端部キャップの遠位基部において、およびハウジングチューブの遠位基部において、施される。端部プレートシールにより作られたクロージャは、製品有効性を高め、時期尚早に破られた場合に不正開封明示を提供するために、用いられる。
【００３８】
他の実施形態において、薄片端部プレートシールは、通常の搬送、充填、および落下試験に合格し、製品完全性を保持するよう十分な機械的支持を提供するために、薄片の全表面にわたってプラスチックにより支持される。支持プラスチックの使用は、薄片の大部分が、反転ドーム吐出クロージャ構成材を成形するために用いられるポリプロピレン（ＰＰ）および高密度ポリエチレン（ＨＤＰＥ）に緊密に接着し、それにより、薄片粒子が吐出時に受容容器へと落下することが軽減されることも可能にする。
【００３９】
隔壁端部アタッチメント
いくつかの実施形態において、反転ドーム吐出クロージャは、図６に例示するように、隔壁端部アタッチメントをさらに備える。この別個のアタッチメントは、薄片型端部プレートシールを捕捉するために用いられる。隔壁端部アタッチメントは不均一な圧力を端部プレートに印加し、それにより、端部プレートを破損または開放するために要求される力が低減される。隔壁端部アタッチメントは全般に投与量チャンバよりも直径が小さく、そのため、隔壁およびドーム反転の自由な動きが可能となる。隔壁端部アタッチメントは、１つまたは複数の径方向ビーズを備え且つ十分なカップ形状を有するよう構成される。ひとたびドームが反転されると、隔壁端部アタッチメント端部プレートは端部プレートに対して十分な力を印加し、それにより端部プレートシールが破断される。カップ形状隔壁端部アタッチメントを受容し、隔壁端部アタッチメントのカップ形状端部内に配置された径方向ビーズ内で可撓性シールを保持し得るよう十分に可撓性を有する端部プレートシール。
【００４０】
受容容器
受容容器は、本出願に係る吐出クロージャ装置に取り付けられ得る様々な寸法および形状の任意の容器、貯蔵容器、器であり得る。受容容器は、ガラス製、プラスチック製、または他の同様の材料製であり得る。いくつかの実施形態において、受容容器は、受容容器に取り付けるための螺刻ネック部を有する。いくつかの実施形態において、受容容器は、製造者により、本発明に係る吐出クロージャに取り付けられる。他の実施形態において、受容容器は、エンドユーザにより使用時点において、本発明に係る吐出クロージャ装置に取り付けられる。いくつかの実施形態において、受容容器は、取付前にエンドユーザにより使用時点において取り外され得る柔軟シールを、容器開口部の位置において有する。容器開口部の位置における柔軟シールは、受容容器の製品完全性を維持するために用いられる。他の実施形態において、受容容器は、取外可能なネジ蓋またはひとたび取り外されると吐出クロージャ装置に取り付けられ得る係る他の取外可能な蓋を有する。
【００４１】
受容容器の非限定的な例は、瓶、他の飲料容器、カートン、水筒、直立型ポーチ、缶、フラスコ、ガラス瓶、その他を含む。
【００４２】
受容容器の１つまたは複数の含有物の種類および形態は無限である。受容容器の含有物の非限定的な形態例は、飲料、飲み物、点滴、液体、注射、懸濁液、シロップ、および残飯（ｓｗｉｌｌ）を含む。受容容器の１つまたは複数の含有物の非限定的な例は、水、スポーツ飲料、食事代替飲料、ダイエット飲料、エネルギー飲料を含む。受容容器は、受容容器に吐出された医薬品、薬物、または薬剤のエンドユーザによるより容易な消費のために、賦形剤、酸味料、甘味料、香料添加剤、および着色剤も含み得る。
【００４３】
材料
いくつかの実施形態において、反転ドーム吐出クロージャの材料は、主に、プロピレン物質、エチレン物質、またはそれらの組み合わせからなる。いくつかの実施形態において、材料は、ポリプロピレン（ＰＰ）物質、および／またはポリエチレン（ＰＥ）物質である。いくつかの実施形態において、材料は、高密度ポリエチレン（ＨＤＰＥ）である。熱可塑性エラストマおよび弾性を十分に提供するより低い弾性係数の他材料等の、可撓性質を有する代替的な材料も用いられ得る。
【００４４】
不正開封明示および保護構成材
不注意による吐出または製品に関する不正開封が生じたかどうかをエンドユーザに示し、且つ偶発的な、不注意による、または時期尚早の吐出を防ぐ、使用時点吐出クロージャ装置を提供することが、本発明の他の態様である。
【００４５】
反転ドーム構成
凸状ドーム自体が不正開封を示すよう構成される。凸状ドームは、容易には再反転されないよう、すなわち凹状作動位置から凸状に整えられた使用準備完了姿勢へと戻らないよう、設計される。ひとたびドームが作動されると、ドームは湾曲前の姿勢に自動的に戻ることはない。径方向ヒンジは、作動されたドームの反転凹状姿勢を保持する。ひとたび反転されると、次いで凹状構成となったドームは、ハウジングチューブの近位上方端部の十分下方に位置し、それにより、再び反転され得ない。使用時点以前におけるドームの反転は、不正開封およびまたは時期尚早吐出を示す。
【００４６】
折畳式タブ
図７〜図１０に見られるように、いくつかの実施形態において、不注意による作動および吐出を防ぐために凸状ドームに加えられた折畳式タブまたはトラスが存在する。折畳式アタッチメントは、ドームが取り付けられたハウジングチューブから、またはクロージャ径方向スカート部の水平部分から、延長するよう構成され得る。トラスは、ハウジングチューブに、またはクロージャ径方向スカート部の水平部分に対する外側ヒンジ留めアタッチメントを有する。いくつかの実施形態において、トラスはドームの中心に位置する破断式アタッチメントも有する。もはやトラスの下面を凸状ドームの外径に接続しないよう破断された破断式アタッチメントは、不正開封が発生したことを示す。顧客使用の簡便のために、トラス構成、クロージャのチューブ、および凸状ドームの間にスペースが提供される。トラスおよび破断式アタッチメントは、真空が容器内部のクロージャの端部上に形成された場合にドームが時期尚早に反転することを防ぐためにも用いられる。
【００４７】
反転ドーム吐出クロージャは、ドーム頂部から破断するようにトラスを加圧することにより、作動される。折畳動作は、破断式アタッチメントを剪断し、ドームの外側端部を越えてチューブの径方向端部に向かってヒンジ状に枢動される。トラスは、ハウジングチューブの径方向端部と締まり嵌めを有するよう構成され、それにより、トラスはドーム上で後戻りすることがない。
【００４８】
本明細書に説明する折畳式トラスまたはタブは、製品の不注意による作動および吐出を防ぐため、および不正開封の表示器としての使用のために、円錐台形加圧部分とともにも用いられ得る。
【００４９】
径方向リム
図４〜図６および図１１に見られるように、いくつかの実施形態において、凸状ドームは、時期尚早作動を防ぐために、ドーム周囲の包囲構造、直立径方向リムを有するよう構成され得る。いくつかの実施形態において、直立径方向リムは、ユーザによるアクセスをより容易にするため、または洗浄後に排水するために、１つまたは複数のポートまたは開口部を有するよう構成され得る。他の実施形態においては、直立径方向リムは取外可能である。取外可能直立径方向リムは、ハウジングからリムを取り外すことにより、使用時点における作動のためにより容易なアクセスを凸状ドームに対して提供するためのプルタブをさらに含む。エンドユーザによる作動の前に径方向リムが外れることは、不正開封を示す。本明細書に説明する径方向リムは、円錐台形状の加圧部分を、製品の時期尚早作動または吐出から保護するため、および不正開封の表示器としての使用のために、用いられ得る。
【００５０】
保護オーバーキャップ
図１２〜図１５に見られるように、転加圧部分吐出クロージャは、凸状ドームまたは円錐台形の、凹状姿勢への時期尚早反転を防ぐために、取外可能な保護オーバーキャップをさらに備える。保護オーバーキャップは、保護オーバーキャップに対する適度な力によりドームが反転されないよう、オーバーキャップと加圧部分との間のスペースを除いて加圧部分を包囲する。いくつかの実施形態において、オーバーキャップの取り外しおよび再取り付けを可能にする、保護オーバーキャップを反転ドーム開示装置に接続するヒンジが存在する。ヒンジは、保護オーバーキャップを、径方向クロージャスカート部またはハウジングの外径に接続し得る。他の実施形態において、ひとたび保護オーバーキャップが取り外されると、再取り付けは不可能である。プルタブは、保護オーバーキャップを取り外すために用いられ得る。プルタブは、作動時に、使用時点以前に取り外されると、不正開封を示し得る。
【００５１】
不正開封明示スカート部
いくつかの実施形態において、図９に示すように、クロージャ径方向スカート部は、取り付けられた受容容器のネック部と締まり嵌め係合することにより、反転加圧部分吐出クロージャの取り外しを防ぐために、可撓性不正開封明示（ＴＥ）スカート部を有する。１つの実施形態において、引かれると、ＴＥスカート部を、クロージャ径方向スカート部との係合状態から離れさせる、プルタブが存在する。他の実施形態において、ＴＥスカート部は、反時計方向のひねり運動をクロージャ径方向スカート部に対して加えることによりＴＥスカート部が破断されるよう、１つまたは複数の破断式タブにより取り付けられる。使用時点において受容容器と締まり嵌め係合しないＴＥスカート部は、不正開封を示す。クロージャ径方向スカート部は、懸垂不正開封明示スカート部バンドとともに、または懸垂不正開封明示スカート部バンドなしに、用いられ得る。
【００５２】
動作機構
ハウジングチューブの投与量チャンバ内に貯蔵された１つまたは複数の含有物は、加圧部分に力を印加することにより、放出される。いくつかの実施形態において、エンドユーザが加圧部分を加圧する。動作機構の実施形態が図１６〜図２０に示される。凸状ドームは、凸状ドームが反転するまで、下方にすなわち内側に加圧され、現時点の凹形状において保持される。この動作は、端部キャップに取り付けられた懸垂隔壁に直接作用する。隔壁は垂直方向下方に動き、それにより、端部キャップは、ハウジングの直径内の非作動位置から、ハウジングの遠位端下方の作動位置へと加圧される。この動きにより、端部キャップは端部プレートシールライニングを破り、それにより、ハウジングチューブの投与量チャンバ内の１つまたは複数の含有物は、チューブから出る経路を流れることが可能となる。隔壁の遠位基部の領域以外のハウジングの遠位基部の全領域における最大吐出のためにチューブから出る経路は、離間開口部またはポートである。
【００５３】
他の実施形態において、図３に示すように（準備完了または非作動形態）、隔壁は、端部プレートシールを破断するために十分な力を端部プレートシール上に直接作用させる。
【００５４】
他の実施形態において、図６に示すように（準備完了または非作動形態）、隔壁は、端部プレートシール上に直接作用する。次いで隔壁端部アタッチメントは、端部プレートシールを破断するために十分な力を端部プレートシールに対して作用させる。隔壁端部アタッチメントのカップ状端部内の１つまたは複数の径方向ビーズは、破断された端部プレートシールを保持する。
【００５５】
本発明に係る使用者作動吐出手段は、１つまたは複数の含有物が吐出される吐出ポートの寸法を最大化する。開示される使用者作動吐出手段は、１つまたは複数の含有物が投与量チャンバを出て吐出されることを可能にする離間開口部をハウジングの遠位端において提供する。この作られた離間開口部は吐出ポートである。１つまたは複数の含有物は、ハウジングの投与量チャンバから受容容器へと直接に流れることができる。いくつかの実施形態において、吐出ポートはハウジングと実質的に同一の直径である。いくつかの実施形態において、吐出ポートは、ハウジングの遠位基部の面積から隔壁の遠位基部の面積を引いた面積と実質的に同じ面積を有する。
【００５６】
反転加圧部分吐出クロージャは、反転加圧部分吐出クロージャが取り付けられた容器へと製品の投与量または供給量を供給するための一体型単一動作供給方法である。この設計はエンドユーザにより直感的に使用可能であり、ワンタッチ式の容易な使用を可能にする。吐出のためにひねり運動は必要ではなく、ハウジングチューブにおいて長いスリーブまたは他の干渉する延長部分は存在しない。それにより、製品が吐出動作モードと干渉することが回避または軽減される。
【００５７】
本発明に係る吐出クロージャは、構成材および材料を最小化するため、組立が簡略化される。本発明に係る市販のクロージャよりも少ないパーツ数で作られる。製造に必要な構成材が少なく、構成材は使用される材料の量を最小化するよう製造されるため、本発明に係る吐出クロージャはより少ない材料を使用し、それにより、製造性は改良され、環境に対する影響は軽減される。本発明の構成材が少ないために、組立および充填も簡素化される。
【００５８】
投与量チャンバは、ハウジングが反転姿勢にある状態で、ハウジングの遠位基部から充填される。いくつかの実施形態において、ハウジングの遠位基部は開放状態にあるか、または、端部キャップ、隔壁端部アタッチメント、および／または端部プレートシールによりまだシールされない。ハウジングチューブの開放状態遠位端は、様々な精巧度の自動および半自動充填装置を用いる投与量チャンバの容易な充填のためのターゲットを提供する。比較的大きいターゲットは、自動化組立体が、容易に位置決め、指標、充填、適切な充填が達成されたことを検出することを可能にする。
【００５９】
投与量の吐出方法
本発明の他の態様において、本発明に係る吐出クロージャ装置を提供すること、および係る吐出クロージャ装置から製品を吐出することを含む、投与量、１つまたは複数の含有物、または製品を供給または吐出する方法が存在する。いくつかの実施形態において、受容容器に取り付けられた吐出クロージャ装置が提供される。他の実施形態において、受容容器を吐出クロージャ装置に取り付けることが要求される。
【００６０】
１つ実施形態において、（ａ）１つまたは複数の製品を保持し得、且つ隔壁と、凸状ドームと、端部プレートシールと、１つまたは複数の製品を吐出するための使用者作動手段とを備えるハウジングを有する反転ドーム吐出クロージャを提供するステップと、（ｂ）１つまたは複数の製品の他のセットを有し且つ反転ドーム吐出クロージャから１つまたは複数の製品を受け取り得る受容容器を提供するステップと、（ｃ）反転ドーム吐出クロージャを受容容器へと取り付けるステップと、（ｄ）１つまたは複数の製品を受容容器へと使用者作動手段により吐出するステップとを含む、１つまたは複数の含有物の投与量を他の一組の１つまたは複数の含有物に供給する方法が存在する。いくつかの実施形態において、ハウジングは端部キャップをさらに備える。他の実施形態において、ハウジングは隔壁端部アタッチメントをさらに備える。
【００６１】
他の実施形態において、（ａ）受容容器に取り付けられ得る反転加圧点吐出クロージャであって、加圧点を有するハウジングと、隔壁と、端部プレートシールと、その内部に貯蔵された１つまたは複数の含有物とを含む反転加圧点吐出クロージャを提供するステップと、（ｂ）反転加圧点吐出クロージャを受容容器へと取り付けるステップと、（ｃ）１つまたは複数の含有物を反転ドーム吐出クロージャから受容容器へと使用者作動手段により吐出するステップとを含む、１つまたは複数の含有物の投与量を他の一組の１つまたは複数の含有物に供給する方法が存在する。いくつかの実施形態において、ハウジングは端部キャップをさらに備える。他の実施形態において、ハウジングは隔壁端部アタッチメントをさらに備える。
【００６２】
他の実施形態において、（ａ）受容容器に取り付けられた反転加圧点吐出クロージャであって、使用者作動吐出手段を備えるハウジング、および１つまたは複数の含有物をその内部に貯蔵する投与量チャンバを備える反転加圧点吐出クロージャを提供するステップと、（ｂ）反転加圧点吐出クロージャから、使用者作動手段により、１つまたは複数の含有物を受容容器へと吐出するステップとを含む、１つまたは複数の含有物の投与量を他の一組の１つまたは複数の含有物に供給する方法が存在する。いくつかの実施形態において、使用者作動吐出手段は加圧部分および隔壁を備える。いくつかの実施形態において、使用者作動吐出手段は加圧部分、隔壁、および端部キャップを備える。他の実施形態において、使用者作動吐出手段は加圧部分、隔壁、および隔壁端部アタッチメントを備える。１つの実施形態において、使用者作動手段は、加圧部分に加圧力を印加することを含む。
【００６３】
他の実施形態において、（ａ）受容容器に取り付けられ得る反転加圧点吐出クロージャであって、加圧点、隔壁、および端部プレートシールを有するハウジングと、その内部に貯蔵された１つまたは複数の含有物とを含む反転加圧点吐出クロージャを提供するステップと、（ｂ）反転加圧点吐出クロージャを受容容器へと取り付けるステップと、（ｃ）１つまたは複数の含有物を反転ドーム吐出クロージャから受容容器へと使用者作動手段により吐出するステップとを含む、１つまたは複数の含有物の投与量を他の一組の１つまたは複数の含有物に供給する方法が存在する。いくつかの実施形態において、ハウジングは端部キャップをさらに備える。他の実施形態において、ハウジングは隔壁端部アタッチメントをさらに備える。
【００６４】
例
例１
１つの形態におけるＰＯＷＥＲＣＡＰ（登録商標）は、ハウジングおよびクロージャ径方向スカート部を備える。なお、このハウジングは、投与量チャンバ、１つまたは複数の製品を吐出するための使用者作動手段、および端部プレートシールを備え、この使用者作動手段は、凸状ドーム、隔壁、および端部キャップを備え、凸状ドームは直立径方向リムをさらに備え、このクロージャ径方向スカート部は、不正開封明示スカート部をさらに備える。
【００６５】
例２
機能的飲料を作るために用いられ得る多数の栄養素およびビタミンは、係る製品の製造および貯蔵にしばしば利用される状況（すなわち、熱、光、および水）に影響され易い。POWERCAP（登録商標）吐出クロージャは、貯蔵された物質を液体へと吐出しそれにより使用時に機能的飲料を作るために使用され得る摩擦嵌合シールを用いて含有物を保護することが可能な飲料技術である。この実験においては、ＰＯＷＥＲＣＡＰ（登録商標）吐出クロージャがビタミンＣ（アスコルビン酸）およびカフェインの化学的完全性を保持する能力が、高温充填飲料製造において一般的である状況にこれらの栄養素をさらすことと対比することにより、調査した。ビタミンＣおよびカフェインの両方の既知量を含む標準的調合物が、４つの実験的状況、すなわち１）ＰＯＷＥＲＣＡＰ（登録商標）チャンバ内で瓶に取り付けられずに貯蔵、２）ＰＯＷＥＲＣＡＰ（登録商標）チャンバ内で水が充填された標準的形態のネジ山を有する瓶に十分螺入されて貯蔵、３）水容積に吐出され、カップ形状瓶に貯蔵、４）水容積に吐出され、３０分間摂氏８０度に加熱し、カップ形状瓶に貯蔵、の各状況間で分配された。テスト試料はそれぞれが３０日間摂氏３７度のオーブン内で貯蔵された。周期的暫定時点において、それぞれの貯蔵状況から複製が引かれ、それぞれに保持されたビタミンＣおよびカフェインの品質を判定するために、フォトダイオードアレイおよび質量検出器に接続された高性能液体クロマトグラフィーにより評価された。このプロセスは、３０日間の実験が終了する時点で反復された。カフェインは、全実験状況下において貯蔵安定性を示した。ビタミンＣの安定性は、貯蔵実験状況に依存した。水と混合され高温充填状況に晒されるとき、および高温充填温度を有さない長期液体貯蔵においても、急勾配の劣化がビタミンＣに対して認められた。しかし、瓶から分離した状態においても、水が充填された瓶に取り付けられた状態においても、混合がＰＯＷＥＲＣＡＰ（登録商標）に貯蔵され乾燥状態に保たれたとき、ビタミンＣの優れた化学的安定性が認められた。われわれの実験結果は、溶液中で容易に劣化する不安定な栄養素であるビタミンＣが、たとえ温度ストレス状況（摂氏３７度）に晒されたとしても、乾燥形態において安定性を保ち得ることを示すものである。
【００６６】
例３
本発明に係る吐出クロージャは、既存のブランド飲料の代替的な形態または変形体を作ることに対して有用である。係る変形体は、非限定的な例により、水を加えることのみが要求される便宜形態、旅行形態、無水状態、長期商品棚滞在寿命を有する変形体、無糖形態、鮮度、効力、効能、安定性、および粘度の属性を有する変形体を含む。
【００６７】
例４
本発明に係る吐出クロージャ装置の他の実施形態は、最終製品を形成するために必要とされる、別個状態および受容容器からの分離状態で流通および販売される吐出クロージャ装置であるこれは、例えば鮮度、簡便性、効力、効能、粘度等の属性を提供する他にも、水および他の液体の輸送に関する輸送コストを回避することにより、輸送コストを低減することにおいて有利である。
【００６８】
例５
本発明に係る吐出クロージャ装置の他の実施形態は、水および他の液体に晒されたときに安定性、溶解性、効力の課題を示す、含有物のための貯蔵および配達システムである。係る含有物の非限定的な例は、グリソディン（長期にわたる水中において低い溶解性および安定性を示す）、プロバイオティクス（水分活性に晒されると短い商品棚滞在寿命を示す）、コエンザイムＱ１０（長期にわたる水中において低い安定性および溶解性を示す）を含む。
【００６９】
例６
本発明に係る吐出クロージャ装置の他の実施形態は、グルカル酸の他の形態のグルカ酸、および／またはビタミンＢ、および／またはカフェイン（および他のエネルギー飲料含有物）、および／または香味料、甘味料、酸味料を含まない、またはこれらと混合された、電解質、および／または他の着色剤を含む二日酔い防止飲料のための貯蔵および配達システムである。
【００７０】
例７
本発明に係る吐出クロージャ装置の他の実施形態は、他の含有物、香味料、甘味料、酸味料、および／または着色剤を含まない、またはこれらと混合された可溶性または不溶性の繊維質（すなわち、アラビノガラクタン、アラビノキシラン、その他）を使用する繊維質増強水を作るための貯蔵および配達システムである。
【００７１】
例８
本発明に係る吐出クロージャ装置の他の実施形態は、他の含有物、香味料、甘味料、酸味料、および／または着色剤を含まない、またはこれらと混合されたプロビオティクスを使用する免疫支持飲料（ｉｍｍｕｎｅ  ｓｕｐｐｏｒｔｉｎｇ  ｂｅｖｅｒａｇｅ）を作るための貯蔵および配達システムである。
【００７２】
例９
本発明に係る吐出クロージャ装置の他の実施形態は、他の含有物、香味料、甘味料、酸味料、および／または着色剤を含まない、またはこれらと混合されて作られた飲料に含まれる成分を摂取することによりアンチエージング効果を提供し得る含有物を使用する「内側からの美しさ（ｂｅａｕｔｙ  ｆｒｏｍ  ｗｉｔｈｉｎ）」系の飲料を作るための貯蔵および配達システムである。
【００７３】
例１０
本発明に係る吐出クロージャ装置の他の実施形態は、快復力、スタミナ、体力、筋肉構築、その他等の目標エリアを目指すスポーツ栄養素飲料を作るための貯蔵および配達システムである。係る利点のために利用され得る含有物は、他の含有物、香味料、甘味料、酸味料、および／または着色剤を含まない、またはこれらと混合された、分枝鎖アミノ酸、Ｌ−カルニチン、クレアチン、グルタミン、タンパク質、タンパク質加水分解物、遊離アミノ酸、その他を含む。
【００７４】
本発明は開示された実施形態に関連して説明されてきたが、本発明の範囲は、説明されたこれらの特定形態に限定されることを意図するものではなく、添付の請求項により定められる本発明の精神および範囲に含まれ得る係る代替物、変更例、等価物を含むことを意図するものである。
【図１】
2013519596.tif 000003
【図２】
2013519596.tif 000004
【図３】
2013519596.tif 000005
【図４】
2013519596.tif 000006
【図５】
2013519596.tif 000007
【図６】
2013519596.tif 000008
【図７】
2013519596.tif 000009
【図８】
2013519596.tif 000010
【図９】
2013519596.tif 000011
【図１０】
2013519596.tif 000012
【図１１】
2013519596.tif 000013
【図１２】
2013519596.tif 000014
【図１３】
2013519596.tif 000015
【図１４】
2013519596.tif 000016
【図１５】
2013519596.tif 000017
【図１６】
2013519596.tif 000018
【図１７】
2013519596.tif 000019
【図１８】
2013519596.tif 000020
【図１９】
2013519596.tif 000021
【図２０】
2013519596.tif 000022
【図２１】
2013519596.tif 000023
【図２２】
2013519596.tif 000024
【国際調査報告】
2013519596.tif 000025
2013519596.tif 000026